(57)【要約】【課題】  記録再生装置単体での自動バックアップ、自動リストア機能を実現する。【解決手段】  可換型媒体に記録あるいは再生する第１の記録再生部と、非可換型媒体に記録あるいは再生する第２の記録再生部を有する記録再生装置であり、第１の記録再生部に可換型媒体を装着した契機で記録再生装置の動作が開始し、また記録再生装置は可換型媒体装着契機の動作モードを複数備える。【選択図】  図４
2011113614.tif 000002
【特許請求の範囲】
【請求項１】
ホスト装置からの命令により情報の記録あるいは再生を行う記録再生装置であって、
可換型媒体を装着する装着部と、
前記記録再生装置の筐体に内蔵される非可換型媒体と、
前記可換型媒体または前記非可換型媒体に、記録または再生を行う記録再生部と、を備え、
前記記録再生部は、前記装着部に前記可換型媒体を装着された場合に、前記非可換型媒体の情報の少なくとも一部を前記可換型媒体にコピーする第１のコピー処理か前記可換型媒体の情報の少なくとも一部を前記非可換型媒体にコピーする第２のコピー処理かのいずれかを行うことを特徴とする記録再生装置。
【請求項２】
請求項１記載の記録再生装置であって、
前記記録再生部は、前記ホスト装置からのコマンドに応じて前記可換型媒体と前記非可換型媒体との間のコピーを行う第３のコピー処理を行うことを特徴とする記録再生装置。
【請求項３】
請求項１記載の記録再生装置であって、
前記記録再生部は、コピーされる情報の範囲を示す設定情報が前記可換型媒体に記録されている場合には、当該設定情報に示される範囲の情報をコピーすることを特徴とする記録再生装置。
【請求項４】
請求項１ないし３のいずれか１項記載の記録再生装置であって、
前記第１のコピー処理または前記第２のコピー処理は、前記ホストからの命令によらずに実施されることを特徴とする記録再生装置。
【請求項５】
請求項１記載の記録再生装置であって、
ユーザによる操作指示を受け付ける指示部と、
前記装着部に装着された可換型媒体を排出する排出部と、を備え、
前記記録再生装置内に前記可換型媒体が装着されている状態で前記指示部が操作されると、前記排出部は、前記可換型媒体を排出し、
前記可換型媒体が装着されていない状態では前記指示部が操作された場合、前記記録再生部は前記第１のコピー処理を行うか前記第２のコピー処理を行うかを切り替えることを特徴とする記録再生装置。
【請求項６】
請求項１記載の記録再生装置であって、
前記装着部は、前記可換型媒体をトレイ部材に取り付け、前記トレイ部材を挿入することにより前記可換型媒体を装着し、
前記装着部に装着された可換型媒体を排出する排出部と、
ユーザによる操作指示を受け付ける指示部と、を備え、
前記トレイ部材が挿入された状態で前記操作部が操作された場合、前記排出部は前記可換型媒体を排出し、
前記トレイ部材が排出された状態で前記操作部が操作された場合、前記記録再生部は前記第１のコピー処理を行うか前記第２のコピー処理を行うかを切り替えることを特徴とする記録再生装置。
【請求項７】
請求項１記載の記録再生装置であって、
前記記録再生装置は、前記第１の記録再生部が前記可換型媒体へのアクセスの有無を表示する表示部を備え、
前記表示部は、前記装着部が前記可換型媒体を装着していない状態では、前記記録再生部が前記第１のコピー処理を行うか前記第２のコピー処理を行うかに応じて前記表示部の表示状態を変えることを特徴とする記録再生装置。
【請求項８】
請求項１記載の記録再生装置であって、
前記記録再生部が前記第１のコピー処理を行うか前記第２のコピー処理を行うかを通知する通知部を備えることを特徴とする記録再生装置。
【請求項９】
請求項１記載の記録再生装置であって、
前記第１のコピー処理または前記第２のコピー処理の動作結果を通知する通知部を備えることを特徴とする記録再生装置。
【発明の詳細な説明】
【技術分野】
【０００１】
本発明は記録再生装置に関するものである。中でも、例えば、記録再生装置の自動バックアップ、自動リストア機能に関するものである。
【背景技術】
【０００２】
記録再生装置において、複数の記憶デバイスを搭載してなる装置に関する特許文献が開示されている。例えば、特許文献１には、その第００３６段落に、「スケジュールに基づいて、夜間のうちに、ハードディスクドライブ６に記憶されている所定データを、フラッシュメモリデバイス７にコピーさせる。」との記載がある。また、特許文献２は、その要約に、「複数のデータ記憶装置、例えばハード・ディスク装置およびＣＤ−ＲＷ装置に接続するための装置インタフェース論理」を含むコントローラが記載されている。また、「コントローラは、データを発信元のデータ記憶装置から少なくとも１つの宛先データ記憶装置へ直接、つまり転送データをコントローラからバスを介してホストおよび／またはホスト・メモリに受け渡すことなく、転送することを可能にする、スイッチング回路機構を含む。」と記載されている。
【先行技術文献】
【特許文献】
【０００３】
【特許文献１】特開２００８-２７６６２６
【特許文献２】特開２００６-５９３６５
【発明の概要】
【発明が解決しようとする課題】
【０００４】
複数の記憶デバイスを搭載してなる記録再生装置において、第１の記憶デバイスが可換型記憶デバイス（例えば光ディスクドライブ）であり、他方が非可換型記憶デバイス（例えばハードディスクドライブやソリッドステートドライブ）であった場合、第１の記憶デバイスに記録媒体を装着した契機により、第２の記憶デバイスのデータを第１の記憶デバイスにコピーする自動バックアップ機能や、第１の記憶デバイスのデータを第２の記憶デバイスにコピーする自動リストア機能といった特殊機能を実装したいといった要求がある。
【０００５】
特許文献１の記載では、搭載された記憶デバイスがハードディスクドライブとフラッシュメモリデバイスといった非可換型記憶デバイスであり、また記憶デバイス間のコピーもスケジュール管理により行う方式であるため前記要求を満たす構成ではない。
【０００６】
また特許文献２では、コントローラおよび接続された記憶デバイスを１つの記録再生装置と考えた場合、接続されている記憶デバイスは光ディスクドライブとハードディスクドライブであるが、記憶デバイス間のコピーは実施例の記載によると上位のホストからの命令によるものであり、光ディスクを装着した契機でコピーを実施する構成にはなっていない。
【０００７】
また、例えば、上記のバックアップ機能やリストア機能を、外部のホスト装置からの命令のみによって実行させる場合には、ホスト装置側のソフトウェア等の変更も必要となる。逆を言えば、バックアップ機能やリストア機能を記録再生装置が実行できるかが、ホスト装置の機能に依存してしまう可能性がある。また、この問題は、例えば、記録再生装置が、いわゆる外付け型のドライブ装置である場合に顕著である。
【０００８】
さらに、例えば、記録再生装置が、上記のバックアップ機能やリストア機能を、ホストからのコマンドから独立して実行させる場合に、操作手段の部品点数が増加してしまう可能性がある。
【０００９】
本発明の目的は、利便性を向上した記録再生装置を提供することである。
【課題を解決するための手段】
【００１０】
上述した目的は、例えば、特許請求の範囲に記載の構成により達成される。
【００１１】
例えば、本発明の記録再生装置は、装着部に可換型媒体を装着された場合に、非可換型媒体の情報の少なくとも一部を可換型媒体にコピーする第１のコピー処理か、可換型媒体の情報の少なくとも一部を非可換型媒体にコピーする第２のコピー処理かのいずれかを行う。また、より望ましくは、記録再生装置１は、第１のコピー処理と第２のコピー処理とを、ホスト装置から受信されるコマンドに依存しないで実行する。
【発明の効果】
【００１２】
本発明によると、利便性を向上した記録再生装置を提供することが可能となる。
【図面の簡単な説明】
【００１３】
【図１】実施例を示す図で、記録再生装置の構成を示した図である。
【図２】実施例を示す図で、記録再生装置の外観を示した図である。
【図３（ａ）】実施例を示す図で、光ディスク装着契機の各動作モードのデータ転送の流れを説明した図である。
【図３（ｂ）】実施例を示す図で、光ディスク装着契機の各動作モードのデータ転送の流れを説明した図である。
【図３（ｃ）】実施例を示す図で、光ディスク装着契機の各動作モードのデータ転送の流れを説明した図である。
【図４】実施例を示す図で、光ディスク装着契機の記録再生装置の動作フローを説明した図である。
【図５】実施例を示す図で、イジェクトスイッチと表示装置を説明した図であり、表示装置がディスクアクセス表示と動作モード表示を兼用したものである。
【図６】実施例を示す図で、イジェクトスイッチと表示装置を説明した図であり、表示装置はディスクアクセス表示用と動作モード表示用が独立に実装されたものである。
【発明を実施するための形態】
【００１４】
以下、実施例について図１〜図６を用いて説明する。
【００１５】
図１は本発明の１実施例の記録再生装置の構成を示した図である。
【００１６】
記録再生装置１は、光ディスクドライブ２（Ｏｐｔｉｃａｌ Ｄｉｓｃ Ｄｒｉｖｅ：以下ＯＤＤとする）、不揮発性メモリドライブ３（Ｓｏｌｉｄ Ｓｔａｔｅ Ｄｒｉｖｅ：以下ＳＳＤとする）が搭載されており、ＯＤＤ２とＳＳＤ３を制御するドライブ制御回路４に接続されている。ＯＤＤ２は、可換型媒体である光ディスクに対して記録または再生を行う。ＳＳＤ３は、非可換型媒体を内蔵し、この非可換型媒体に対して記録または再生を行う。また、ＯＤＤ２は、光ディスクを装着し、また排出する機構を備える。ドライブ制御回路４は、外部インターフェース５を介して外部のホスト装置とデータの送受信ならびにＯＤＤ２、ＳＳＤ３への記録、再生動作の制御を行っている。つまり、ＯＤＤ２、ＳＳＤ３、ドライブ制御回路４にて、データの記録または再生を行う記録再生部として機能する。
【００１７】
また、記録再生装置１は、外部のホスト装置からのコマンドに応じて記録または再生を行う子装置または従属装置として機能する。言い換えると、記録再生装置１は、外部のホスト装置との関係においてデバイス機器として動作する。上記した外部のホスト装置と記録再生装置１の例としては、ＰＣと該ＰＣに内蔵されるドライブ装置が該当する。また、外部のホスト装置と記録再生装置１の例としては、ＡＶレコーダーと該ＡＶレコーダに内蔵されるドライブ装置が該当する。また、記録再生装置１の例としては、ＰＣ等に接続される外付けのドライブ装置が該当する。
【００１８】
また、ドライブ制御回路４は、ＯＤＤ２に光ディスクが装着された契機で、ＳＳＤ３内のデータをＯＤＤ２に装着された光ディスクにコピーする第１の動作モード（以下バックアップモードとする）を実行するよう制御する。また、ドライブ制御回路４は、ＯＤＤ２に装着された光ディスク内のデータをＳＳＤ３にコピーする第２の動作モード（以下リストアモードとする）と、ホストからの命令がない場合は、ＯＤＤ２とＳＳＤ３間のデータコピーを行わない第３のモード（以下ノーマルモードとする）を実行するよう制御する。また、装着されるとは、例えば、ＯＤＤ２が備えるスピンドル機構（図示しない）に、光ディスクが係合された状態となることを示す。
【００１９】
図２は、本実施例の記録再生装置１の外観を示したものである。半導体メモリの大容量化によりＳＳＤ３は小型化が可能になるため、従来のＯＤＤの筐体に、ＯＤＤ２の機能とＳＳＤ３の機能とドライブ制御回路４、外部インターフェース回路５を搭載している。記録再生装置１の前面には、光ディスクを排出する指示を入力するためのイジェクトスイッチ６と、記録再生装置１が光ディスクにアクセス中であることを示すＬＥＤ７が設置してある。ユーザが光ディスクを排出したい場合は、イジェクトスイッチ６を押すことで記録再生装置１は光ディスク排出動作を行う。また光ディスクにアクセス中のときは、ＬＥＤ７が点灯、あるいは点滅することでユーザーにアクセス中であることを通知する。
【００２０】
次に、図３を用いて、本実施例における記録再生装置の各動作モードでのデータ転送の流れを説明する。
【００２１】
図３（ａ）は、バックアップモードでのデータ転送を矢印で説明した図である。バックアップモードでは、光ディスク装着後、ドライブ制御回路４がＳＳＤ３内のデータの少なくとも一部をＯＤＤ２の光ディスクにコピーする処理を行う。このコピー処理は外部に接続されたホストからの命令により実施するものではなく、ドライブ制御回路４が管理、実行している。
【００２２】
図３（ｂ）は、リストアモードでのデータ転送を矢印で説明した図である。リストアモードでは、光ディスク装着後、ドライブ制御回路４がＯＤＤ２の光ディスク内のデータの少なくとも一部をＳＳＤ３にコピーする処理を行う。このコピー処理もバックアップモード同様、外部に接続されたホストからの命令により実施するものではなく、ドライブ制御回路４が管理、実行している。なお、リストアとは、例えば、バックアップが完了し、元のデータに欠陥が発生した場合に、元のデータを復元する処理を示す。
【００２３】
図３（ｃ）は、ノーマルモードを説明した図である。ノーマルモードでは、光ディスクが装着されてもホストからの命令がない限りＯＤＤ２、ＳＳＤ３間のコピーは実施しない。
【００２４】
次に、ＳＳＤ３、光ディスクのコピー対象となるデータの選択方法について説明する。データの選択方法としては、装着する光ディスクにコピー機能に対応したディスクであることを示す情報ならびに詳細設定情報を書き込んでおくことで対応する。また、この詳細設定情報が、コピーされる情報の範囲を示す設定情報を含むものとする。ＯＤＤ２に光ディスクを装着した後、光ディスクをコピー対象の光ディスクであるか判定する。対象ディスクであった場合には詳細設定情報よりコピー対象データの情報を取得し、コピー動作に移行すればよい。なお、コピー対象データの選択方法は前記記載の方法に限ることなく、例えば常に同一名のフォルダやファイルをコピー対象としてもよい。また、ＳＳＤ３あるいは光ディスクのすべてのデータをコピー対象としてもよい。
【００２５】
次に、図４を用いて、本実施例の動作フローを図４を用いて説明する。
【００２６】
記録再生装置１に光ディスクを挿入（１０２）すると、ＯＤＤ２は挿入された光ディスクに適した記録再生を行うための調整処理、所謂ディスクロード処理（１０３）を行い、光ディスクに対し記録あるいは再生可能な状態に移行する。次に、ドライブ制御回路４は現在の記録再生装置１の動作モードがノーマルモードであるか判定を行う（１０４）。処理１０４にてノーマルモードであれば、記録再生装置１は、処理を終了（１０９）し、ホストからの命令待ち状態に移行する。記録再生装置１の動作モードがノーマルモード以外であった場合、装着された光ディスクを読み込み、コピー対象ディスクであるか判定する（１０５）。コピー対象ディスクでない場合は処理を終了し（１０９）、コピー対象ディスクであった場合は、さらに記録再生装置１の動作モードを判定する（１０６）。なお、コピー対象ディスクか否かの判定は、例えば装着された光ディスクが再生専用ディスクか記録可能なディスクであるかに基づいて行う。また、コピー対象ディスクか否かの判定は、装着された光ディスクの空き容量が予め設定された所定の容量以上か否かに基づいて行う。所定の容量としては、ＳＳＤ３の容量であってもよいし、それ以下の容量でもよい。また、コピー対象ディスクか否かの判定は、装着する光ディスクにコピー機能に対応したディスクであることを示す情報が記録されているか否かに基づいて行う。処理１０４において動作モードがバックアップモードの場合は、記録再生装置１は、光ディスクの詳細設定情報に基づきＳＳＤのデータを光ディスクに記録する（１０７）。一方、リストアモードの場合は、記録再生装置１は、光ディスクの詳細設定情報に基づき光ディスクのデータをＳＳＤに書き込む（１０８）。そして、記録が終わると処理を終了する（１０９）。
【００２７】
このように、記録再生装置１は、ＯＤＤ２に光ディスクを装着したことを契機として、コピーを開始する。より具体的には、記録再生装置１は、ＯＤＤ２に光ディスクが装着された場合に、光ディスクに記録された情報をＳＳＤ３に記録させる第１のコピー処理か、光ディスクに記録された情報を光ディスクに記録する第２のコピー処理のいずれかを行う。また、記録再生装置１は、外部のホスト装置からのコマンドに基づいて、ＯＤＤ２、ＳＳＤ３間にてデータをコピーする第３のコピー処理を行う。
【００２８】
以上のような処理を行うことで、記録再生装置１は、外部のホスト装置のコマンドを受信しない場合においても、バックアップ処理、リストア処理を実行することが可能となる。
【００２９】
また、通常、記録再生装置１はノーマルモードで使用することが多い。このため、記録再生装置１は、バックアップモード、リストアモードで動作した後は動作モードをノーマルモードに移行する構成としてもよい。これにより、次回光ディスクを装着した際の誤コピー動作を防止することができる。
【００３０】
次に、図５及び図６を用いて、記録再生装置１の動作モードの切り替え方法および動作モードの通知方法について説明する。
【００３１】
図５に示す本実施例の記録再生装置１はトレイ式とする。トレイ１１に光ディスク８を取り付け、記録再生装置１に挿入することで光ディスク８が記録再生装置１に装着される。また、トレイ１１が挿入された状態からイジェクトスイッチ６を押下することによりトレイ１１は外部に排出される。本実施例では、このイジェクトスイッチ６を動作モードを変更するための切り替えスイッチとして兼用している。つまり、トレイ１１が記録再生装置１に挿入された状態で、イジェクトスイッチ６を押下するとトレイ排出指示が記録再生装置１に入力されるものとする。しかし、トレイ１１が排出された状態においては、イジェクトスイッチ６を押下すると、ノーマルモード→バックアップモード→リストアモード→ノーマルモード・・・のように動作モードを切り替える。この方法により、動作モード切替のために新たなスイッチを追加する必要はなくなる。従って、本実施例によると、コストの増加を抑制しつつモード切り替え処理を実現できる。また、トレイ式の装置においては、トレイ１１が排出された状態において、トレイ格納のためにイジェクトスイッチ６を押されることはない。このため、イジェクトスイッチ６を動作モード切り替えのために用いたとしてもユーザに対するデメリットは無いものといえる。
【００３２】
なお、本実施例の記録再生装置１はトレイ式であるため、トレイの排出状態でイジェクトスイッチ６の機能を切り替えている。これに対し、トレイを使用しないスロットイン方式の記録再生装置の場合は、光ディスク８が記録再生装置１内に装着されている時に、イジェクトスイッチは光ディスク排出指示とし、光ディスクが装着されていない時には動作モード切替指示とすればよい。
【００３３】
また、上記動作モードをイジェクトスイッチ６で切り替える場合、動作モードが３モードあるが、ユーザーに現在設定されている動作モードを通知することで誤設定を防止することができる。本実施例では、光ディスク８にアクセスすることを示すＬＥＤ７を用いてユーザーに動作モードの通知を行う。光ディスク８へのアクセスは光ディスク８が記録再生装置１に装着されている時しか発生しないので、トレイ１１が排出されているときはＬＥＤ７を動作モード表示用として使用する。図５に示す記録再生装置１によると、新たにＬＥＤを追加しないでも、ユーザ動作モードを通知できる。このため、コストの増加を抑制することが可能となる。
【００３４】
例えば、トレイ１１排出状態で、ノーマルモード時はＬＥＤ７を消灯とし、バックアップモード時はＬＥＤ７を点滅とし、リストアモード時はＬＥＤ７を点灯状態とすることで現在の動作モードをユーザーに通知する。なお通知は、発光パターンの変化のほか、色を変えたり、輝度を変えることによって行ってもよい。
【００３５】
次に、図６を用いて、イジェクトスイッチと表示装置の別の構成例について説明する。
【００３６】
図６に示す記録再生装置１は、動作モードを示すＬＥＤ９、ＬＥＤ１０を光ディスクアクセス用のＬＥＤ７とは別に配置したものである。また、記録再生装置１は、動作モード別にＬＥＤ９、およびＬＥＤ１０を点灯してユーザーに通知している。なお通知手段は、本実施例に限ることなく液晶表示装置を用いて文字で表示してもよいし、音を使って通知してもよい。その他、通知手段は、ユーザーが現在の動作モードを認識できる手段であればよい。
【００３７】
バックアップモードやリストアモードでコピー動作を行った際、コピー処理が正常終了したか、異常終了であったかといった動作結果をユーザーに通知することで、さらに使い勝手の向上を図ることができる。通知手段としては、動作モード通知手段と同様にアクセス通知用ＬＥＤと兼用したり、追加でＬＥＤを配置したり、液晶表示装置、音などを使用して通知するとよい。
【００３８】
以上説明した記録再生装置１によると、記録再生装置１単体での自動バックアップ、自動リストア機能を実現する。また、本実施例によると、ホスト装置が備えるソフトウェアに依存せずに自動バックアップ、自動リストア機能を実行する記録再生装置１を提供することが可能となる。また、本実施例によると、ホスト装置からのバックアップやリストアを指示するコマンドを受信しないでも、自動バックアップ、自動リストア機能を実行する記録再生装置１を提供することが可能となる。
【００３９】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００４０】
また、上記の各構成は、それらの一部又は全部が、ハードウェアで構成されても、プロセッサでプログラムが実行されることにより実現されるように構成されてもよい。また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００４１】
１…記録再生装置
２…光ディスクドライブ（ＯＤＤ）
３…不揮発性メモリドライブ（ＳＳＤ）
４…ドライブ制御回路
５…外部インターフェース
６…イジェクトスイッチ
７…ＬＥＤ
８…光ディスク
９…ＬＥＤ
１０…ＬＥＤ
１１…トレイ
【図１】
2011113614.tif 000003
【図２】
2011113614.tif 000004
【図３（ａ）】
2011113614.tif 000005
【図３（ｂ）】
2011113614.tif 000006
【図３（ｃ）】
2011113614.tif 000007
【図４】
2011113614.tif 000008
【図５】
2011113614.tif 000009
【図６】
2011113614.tif 000010